(57)【特許請求の範囲】
【請求項１】
複数の格子材を備え、格子材は、樹脂製格子材と、金属製芯材と、これらを連結する連結材からなり、樹脂製格子材は、長手方向に連続した中空部を有し、長手方向の両端部には熱延びを許容する切欠部または長孔をそれぞれ有しており、金属製芯材は、樹脂製格子材の中空部に挿入してあると共に樹脂製格子材の両端から突出しており、金属製芯材の両端の見付面には連結材をネジ止めしてあり、金属製芯材と連結材とで樹脂製格子材を挟み付けて固定してあると共に、樹脂製格子材の中空部内面と金属製芯材の側面間には所定の隙間が設けてあり、格子材が、連結材を介して若しくは金属製芯材の両端側で支持体に支持されていることを特徴とする格子体。
【発明の詳細な説明】
【技術分野】
【０００１】
本発明は、フェンスや間仕切り等に使用する格子体に関するものである。
【背景技術】
【０００２】
樹脂製格子材を使用する格子体としては、特開２０００−３５２２２５号公報のものがあり、この格子体は、ガタツキを防止するために金属製芯材が樹脂製格子材の中空部内側を削りながら挿入してあり、さらに、挿入された金属製芯材の端部側からビス止めして、樹脂製格子材を支持体に固定したものである。
【先行技術文献】
【特許文献】
【０００３】
特開２０００−３５２２２５号公報
【発明の概要】
【発明が解決しようとする課題】
【０００４】
上述した特開２０００−３５２２２５号公報のものは、樹脂製格子材の中空部内側を削りながら金属製芯材を強く押し込む状態で挿入していくものであったから、金属製芯材の挿入がしづらく施工が大変手間であった。さらに、樹脂製格子材の中空部内側を削るため、樹脂製格子材が透明または半透明なものであれば、その削り面が外部から透けて見えてしまうことにより、格子体の外観意匠性を損ねる問題点もあった。本発明は、上記課題を鑑みてなされたものであり、施工が容易で外観の体裁も良く、しかも、熱延び対策も施された格子体を提供することにある。
【課題を解決するための手段】
【０００５】
本発明は、複数の格子材を備え、格子材は、樹脂製格子材と、金属製芯材と、これらを連結する連結材からなり、樹脂製格子材は、長手方向に連続した中空部を有し、長手方向の両端部には熱延びを許容する切欠部または長孔をそれぞれ有しており、金属製芯材は、樹脂製格子材の中空部に挿入してあると共に樹脂製格子材の両端から突出しており、金属製芯材の両端の見付面には連結材をネジ止めしてあり、金属製芯材と連結材とで樹脂製格子材を挟み付けて固定してあると共に、樹脂製格子材の中空部内面と金属製芯材の側面間には所定の隙間が設けてあり、格子材が、連結材を介して若しくは金属製芯材の両端側で支持体に支持されていることを特徴とする。
【発明の効果】
【０００６】
本発明によれば、樹脂製格子材の中空部内に金属製芯材を余裕をもって挿入できるので施工性が良く、樹脂製格子材の中空部内面が金属製芯材によって傷付かないので、格子の外観意匠を損なわない。さらに、樹脂製格子材に挿入された金属製芯材と連結材とをそれぞれネジ止めして、樹脂製格子材を挟みつけることにより、金属製芯材が樹脂製格子材の中空部でガタつくことなく、意匠性が高く強度が確保された格子体を提供できる。また、樹脂製格子材よりも金属製芯材が長く形成してあると共に、樹脂製格子材のネジを通す孔が切欠部または長孔になっているので、樹脂製格子材の端部で熱延びが許容されることから、樹脂製格子材が歪まずに格子体の意匠性が保たれる。
【図面の簡単な説明】
【０００７】
【図１】（ａ）は、図２中Ａを拡大して本実施形態による格子体の要部を拡大して示す縦断面図であり、（ｂ）は、図３中Ｄを拡大して示す横断面図である。
【図２】図３（ａ）中Ｂ−Ｂ線縦断面図である。
【図３】（ａ）は、本実施による格子体の正面図であり、（ｂ）は、（ａ）中Ｃ−Ｃ線横断面図である。
【図４】（ａ）は、本実施による格子体を構成する樹脂製格子材の一部を拡大した背面図であり、（ｂ）は、本発明の格子体を構成する樹脂製格子材の他の実施形態を示す一部を拡大した背面図である。
【図５】（ａ）は、本発明の他の実施形態を示す一部を拡大した分解斜視図であり、（ｂ）は、（ａ）の組み立て後の一部を拡大した斜視図である。
【図６】（ａ）は、本発明の他の実施形態を示す一部を拡大した分解斜視図であり、（ｂ）は、（ａ）の組み立て後の一部を拡大した斜視図である。
【発明を実施するための形態】
【０００８】
以下に、図面に基づいて本実施による格子体の実施の形態を説明する。
本実施による格子体は、図２及び図３（ａ）のように、上桟１ａと下桟１ｂと、上下桟１ａ，１ｂの間に間隔あけて配置される複数の縦桟２と、上下桟１ａ，１ｂと平行して上下桟１ａ，１ｂ間に配置される複数のルーバー３とから構成してあり、支柱１０の一側見付け面に金具で固定してある。図１（ｂ）と図３（ｂ）のように、ルーバー３は、樹脂製格子材４と金属製芯材６とを、連結材７によって固定して形成してある。樹脂製格子材４は、図４（ａ）のように、長手方向に連続した中空部５を有し且つその一側には中空部５から上下にそれぞれ突出したフィン４ａ，４ｂを有する羽根型をなすものであり、さらに、樹脂製格子材４の長手方向両端部には、長手方向に長く形成される切欠部９ａがそれぞれ設けてある。金属製芯材６は、図１（ｂ）のように、樹脂製格子材４よりも長く、且つ樹脂製格子材４の中空部５に余裕をもって挿通できる断面形状としてある形材であり、樹脂製格子材４の中空部５内側４ｃに当接する略扁平な側面６ａの両端部にネジ受孔１１を設けてある。連結材７は、図１（ｂ）のように、金属片を曲げ加工して略Ｌ字状に形成したものであり、縦桟２の見込み方向に向けて突出する見込み片７ａと、同じく縦桟２の見付け方向に突出する見付け片７ｂとからなっており、見付け片７ｂにはルーバー３の配置に合わせてネジ孔７ｃが設けてある。
【０００９】
ルーバー３は、図１（ｂ）及び図３（ｂ）のように、金属製芯材６を樹脂製格子材４の中空部５に挿入して形成される。このとき、金属製芯材６は、樹脂製格子材４よりも長く、中空部５よりも断面形状が小さい形材であるため、中空部５に容易に挿通されると共に、両端が樹脂製格子材４の両端から突出した状態となる。次に、金属製芯材６と樹脂製格子材４の両端部の一側に連結材７の見付け片７ｂをあてがい、ネジ孔７ｃと金属製芯材６のネジ受孔１１にネジ８を挿通してネジ止めする。このとき、ネジ８の締め付けによって金属製芯材６が連結材７側に引き寄せられることで、樹脂製格子材４の中空部５内面４ｃと金属製芯材６の側面６ａ間には所定の隙間が設けられると共に、樹脂製格子材４が、金属製芯材６の側面６ａと連結材７とで挟み付けられて固定される。同様にして連結材７に複数のルーバー３を取付けた後、連結材７を縦桟２の内周側凹部２ａに嵌め込み、縦桟２を上下桟１ａ，１ｂにネジ固定することで、格子体が形成される。以上のように格子体を形成することで、金属製芯材６のガタツキを抑えるために樹脂製格子材４の中空部５内側を削りながら金属製芯材６を圧入する必要がなく、樹脂製格子材４の中空部５内側が傷付かずに外に透けて見えることもないので、施工性が良く、外観の体裁も良好な格子体が完成する。
【００１０】
また、上記のように形成した格子体は、施工後、外気温や気候変化等の要因で樹脂製格子材４が長手方向に熱延びする場合があるが、金属製芯材６が樹脂製格子材４よりも長く形成してあり、さらに、ネジ８が樹脂製格子材４の長手方向に長い切欠部９ａに挿通していることにより、樹脂製格子材４が熱延びしてもネジ８で妨げられず熱延びが許容されると共に、熱延びした樹脂製格子材４が縦桟２を圧迫しないので、縦桟２から樹脂製格子材４への反力が発生せず、樹脂製格子材４の歪な変形や破損を防ぐ構造となっている。
【００１１】
本発明の格子体を構成する樹脂製格子材４の他の実施形態として、図４（ｂ）のように、樹脂製格子材１４の長手方向に長い長孔９ｂとしても、切欠部９ａと同様、ネジ８で妨げられることなく熱延びが許容されて樹脂製格子材４の歪な変形や破損が防がれる。
【００１２】
本発明の格子体は、可動ルーバーにおいても適用できる。図５（ａ）（ｂ）のように、本実施のものでは軸部２８を有する連結材２７が使用されており、この連結材２７は、見込み片２７ａと見付け片２７ｂとから略Ｌ字状をなしており、可動ルーバー１３ごとに取付けられる。金属製芯材６への取り付けは、上記実施形態と同様に、見込み片２７ａを金属製芯材６の長手方向一端側にあてがうとともに、見付け片２７ｂのネジ孔２７ｃと樹脂製格子材４の切欠部９ａと金属製芯材６のネジ受孔１１をネジ８で連通してネジ止めすることでなされる。さらに、見込み片２７ａの軸部２８を縦桟２に軸止めすることにより、可動ルーバー１３が軸部２８を中心に水平軸回転する。また、図６（ａ）（ｂ）は、本発明の格子体による他の可動ルーバー２３の実施形態であり、図示では一側のみを記載するが、金属製芯材２６の長手方向両端部に軸部３８を設け、その軸部３８が縦桟２で軸支されることにより、可動ルーバー２３が軸部３８を中心に水平軸回転するものである。ここで使用される連結材３７は、見付け片３７ｂにネジ孔３７ｃを有し、その見付け片３７ｂの上下がそれぞれ屈曲した略コ字状をなすものであり、その内周のコ字部分で樹脂製格子材４を保持する。そして、金属製芯材２６のネジ受孔２６ａと樹脂製格子材４の切欠部９ａと連結材３７をネジ８で連通してネジ止めすることにより可動ルーバー２３が形成され、この可動ルーバー２３が軸部３８により縦桟２で水平軸回転する。なお、金属製芯材２６は、両端部６ｂを軸部として利用できる断面形状としてあってもよい。
【００１３】
上記各実施形態では、フェンス等に用いられるルーバー３及び可動ルーバー１３，２３について記載したが、格子材が樹脂製格子材４とその中空部５に挿入する金属製芯材６，２６とから構成されるものであれば、建物開口部に設けられるものや、間仕切りなどの壁面を構成するもの等、様々な用途の格子体に適用できる。また、樹脂製格子材４や金属製芯材６、連結材７の形状についても特に限定するものではなく、適宜変更可能である。また、樹脂製格子材４の支持体１ａ，１ｂ，２として、上記実施形態では上下桟１ａ，１ｂと縦桟２を挙げたが、躯体の壁部や、支柱、枠材等でもよく、格子体の設置が想定される全ての箇所が支持体として挙げられる。また、上記各実施形態ではルーバー３及び可動ルーバー１３，２３が横ルーバータイプのものについて記載したが、上下桟１ａ，１ｂで支持する縦ルーバータイプのものでもよい。
【符号の説明】
【００１４】
１ａ，１ｂ  上下桟（支持体）
２  縦桟（支持体）
３  ルーバー（格子材）
１３，２３  可動ルーバー（格子材）
４，１４  樹脂製格子材
４ｃ，１４ｃ  内面
５，１５  中空部
６，２６  金属製芯材
６ａ  側面
６ｂ  両端
７，２７，３７  連結材
８  ネジ
９ａ  切欠部
９ｂ  長孔
【図１】
0005702185.tif 000002
【図２】
0005702185.tif 000003
【図３】
0005702185.tif 000004
【図４】
0005702185.tif 000005
【図５】
0005702185.tif 000006
【図６】
0005702185.tif 000007